【手続補正書】
【提出日】平成25年8月16日(2013.8.16)
【手続補正１】
【補正対象書類名】特許請求の範囲
【補正対象項目名】全文
【補正方法】変更
【補正の内容】
【特許請求の範囲】
【請求項１】
電源用コントローラであって、
検知された出力電圧に応答して、駆動信号を与えて前記電源に含まれるスイッチのスイッチングを制御して、前記電源の出力電圧が前記電源の入力電圧よりも大きくなるように前記電源の前記出力電圧を調整するように結合されるべき駆動信号生成器と、
前記駆動信号生成器に結合され、かつ前記電源の前記入力電圧に応答して前記検知された出力電圧を調節するためのオフセット電流を出力するように結合される補償回路とを備え、
前記補償回路は、前記入力電圧の増大に応答して前記オフセット電流を減少させるように適合される、コントローラ。
【請求項２】
前記オフセット電流は、前記入力電圧の増大に応答して線形に減少する、請求項１に記載のコントローラ。
【請求項３】
前記オフセット電流は、前記入力電圧が第１の入力しきい値未満である場合は一定の非ゼロの値であり、前記オフセット電流は、前記入力電圧が前記第１の入力しきい値以上である場合は前記入力電圧の増大に応答して減少する、請求項１に記載のコントローラ。
【請求項４】
前記オフセット電流は、前記入力電圧が第２の入力しきい値未満である場合は前記入力電圧の増大に応答して減少し、前記オフセット電流は、前記入力電圧が前記第２の入力しきい値以上である場合は０である、請求項１に記載のコントローラ。
【請求項５】
前記オフセット電流は、前記入力電圧が第１の入力しきい値に減少するまでは０であり、前記オフセット電流は、前記入力電圧が第２の入力しきい値に増大するまでは一定の非ゼロの値であり、前記第２の入力しきい値は前記第１の入力しきい値よりも大きい、請求項１に記載のコントローラ。
【請求項６】
前記スイッチおよび前記コントローラは単一のモノリシック集積装置に集積される、請求項１に記載のコントローラ。
【請求項７】
補償回路は、前記出力電圧と前記入力電圧との間の所望の比率を設定する前記オフセット電流を、出力電圧も受ける端子に出力するように構成される、請求項１−６のいずれか１項に記載のコントローラ。
【請求項８】
電源用コントローラであって、
駆動信号生成器を備え、前記駆動信号生成器は、
検知された出力電圧を受けるように結合されるべき増幅器と、
前記増幅器に結合され、前記増幅器に応答して駆動信号を与えて前記電源に含まれるスイッチのスイッチングを制御して、前記電源の出力電圧が前記電源の入力電圧よりも大きくなるように前記電源の前記出力電圧を調整するように結合されるべき論理回路とを含み、さらに
前記駆動信号生成器に結合される補償回路を備え、前記補償回路は、前記電源の前記入力電圧に応答して前記検知された出力電圧を調節するためのオフセット電流を出力するように結合されるべき電流源を含み、
前記電流源は、前記入力電圧の増大に応答して前記オフセット電流を減少させるように適合される、コントローラ。
【請求項９】
前記補償回路は、前記電流源に結合され、かつ前記電源の前記入力電圧を表わす入力電圧検知信号を受けるように結合されるべきピーク検出器をさらに含む、請求項８に記載のコントローラ。
【請求項１０】
前記ピーク検出器は、前記入力電圧検知信号から前記電源の前記入力電圧のピーク電圧を定めるように適合される、請求項９に記載のコントローラ。
【請求項１１】
前記ピーク検出器は、前記入力電圧検知信号から前記電源の前記入力電圧の平均電圧を定めるように適合される、請求項９に記載のコントローラ。
【請求項１２】
前記入力電圧検知信号は前記電源の前記入力電圧を表わす電流である、請求項９に記載のコントローラ。
【請求項１３】
前記オフセット電流は、前記入力電圧の増大に応答して線形に減少する、請求項８に記載のコントローラ。
【請求項１４】
前記オフセット電流は、前記入力電圧が第１の入力しきい値未満である場合は一定の非ゼロの値であり、前記オフセット電流は、前記入力電圧が前記第１の入力しきい値以上である場合は前記入力電圧の増大に応答して減少する、請求項８に記載のコントローラ。
【請求項１５】
前記オフセット電流は、前記入力電圧が第２の入力しきい値未満である場合は前記入力電圧の増大に応答して減少し、前記オフセット電流は、前記入力電圧が前記第２の入力しきい値以上である場合は０である、請求項８に記載のコントローラ。
【請求項１６】
前記オフセット電流は、前記入力電圧が第１の入力しきい値に減少するまでは０であり、前記オフセット電流は、前記入力電圧が第２の入力しきい値に増大するまでは一定の非ゼロの値であり、前記第２の入力しきい値は前記第１の入力しきい値よりも大きい、請求項８に記載のコントローラ。
【請求項１７】
前記増幅器に結合される参照電圧をさらに備え、前記論理回路は、前記検知された出力電圧が前記参照電圧に等しくなるように前記出力電圧を調整するように構成される、請求項８に記載のコントローラ。
【請求項１８】
前記増幅器は、前記検知された出力電圧と前記参照電圧との間の差に比例する信号を前記論理回路に与えるように結合される、請求項１７に記載のコントローラ。
【請求項１９】
前記増幅器は比較器であり、前記比較器は、前記検知された出力電圧が前記参照電圧よりも大きいかまたはそれ未満であるかを示す論理信号を前記論理回路に与えるように結合される、請求項１７に記載のコントローラ。
【請求項２０】
前記スイッチおよび前記コントローラは単一のモノリシック集積装置に集積される、請求項８に記載のコントローラ。
【請求項２１】
前記補償回路は、前記出力電圧と前記入力電圧との間の所望の比率を設定する前記オフセット電流を、出力電圧も受ける端子に出力するように構成される、請求項９−２０のいずれか１項に記載のコントローラ。
【請求項２２】
電源であって、
前記電源の出力電圧を表わす検知された出力電圧を与えるように結合されるフィードバック回路と、
前記フィードバック回路に結合されるコントローラとを備え、前記コントローラは、
前記検知された出力電圧に応答して、前記電源に含まれるスイッチのスイッチングを制御して、前記電源の出力電圧が前記電源の入力電圧よりも大きくなるように、前記電源の前記出力電圧を調整するように結合される駆動信号生成器と、
前記駆動信号生成器に結合され、前記電源の前記入力電圧に応答して前記検知された出力電圧を調節するためのオフセット電流を前記フィードバック回路に出力するように結合される補償回路とを含み、
前記補償回路は、前記入力電圧の増大に応答して前記オフセット電流を減少させ、前記入力電圧の減少に応答して前記オフセット電流を増大させるように適合される、電源。
【請求項２３】
前記フィードバック回路は、
前記コントローラの外部の、前記補償回路に結合されかつ前記駆動信号生成器に結合されるノードと、
前記ノードに結合される第１の抵抗と、
前記ノードに結合される第２の抵抗とをさらに含み、前記検知された出力電圧は、前記電源の入力帰線に対する、前記ノードにおける電圧である、請求項２２に記載の電源。
【請求項２４】
前記オフセット電流は、前記入力電圧が第１の入力しきい値未満である場合は一定の非ゼロの値であり、前記オフセット電流は、前記入力電圧が前記第１の入力しきい値以上である場合は前記入力電圧の増大に応答して減少する、請求項２２に記載の電源。
【請求項２５】
前記オフセット電流は、前記入力電圧が第２の入力しきい値未満である場合は前記入力電圧の増大に応答して減少し、前記オフセット電流は、前記入力電圧が前記第２の入力しきい値以上である場合は０である、請求項２２に記載の電源。
【請求項２６】
前記オフセット電流は、前記入力電圧が第１の入力しきい値に減少するまでは０であり、前記オフセット電流は、前記入力電圧が第２の入力しきい値に増大するまでは一定の非ゼロの値であり、前記第２の入力しきい値は前記第１の入力しきい値よりも大きい、請求項２２に記載の電源。
【請求項２７】
前記オフセット電流は、前記コントローラの内部ノードから前記コントローラの前記外部ノードに流れる、請求項２２に記載の電源。
【請求項２８】
前記電源は、単一の端子を利用してフィードバックを受けるとともに、前記出力電圧と前記入力電圧との間の所望の比率も設定する、請求項２２−２６のいずれか１項に記載の電源。
【請求項２９】
電源用コントローラであって、
検知された出力電圧に応答して、駆動信号を与えて前記電源に含まれるスイッチのスイッチングを制御して、前記電源の出力電圧が前記電源の入力電圧よりも大きくなるように前記電源の前記出力電圧を調整するように結合されるべき駆動信号生成器と、
前記駆動信号生成器に結合され、かつ複数の一定の非ゼロの値のうち１つを有するオフセット電流を出力するように結合される補償回路とを備え、前記電源の前記入力電圧に対応する前記複数の一定の非ゼロの値の各々はそれぞれの入力しきい値に達し、前記複数の一定の非ゼロの値は、前記それぞれの入力しきい値が増大するにつれて減少する、コントローラ。
【請求項３０】
電源であって、
前記電源の出力電圧を表わす検知された出力電圧を与えるように結合されるフィードバック回路と、
前記フィードバック回路に結合されるコントローラとを備え、前記コントローラは、
前記検知された出力電圧に応答して、前記電源に含まれるスイッチのスイッチングを制御して、前記電源の出力電圧が前記電源の入力電圧よりも大きくなるように、前記電源の前記出力電圧を調整するように結合される駆動信号生成器と、
前記駆動信号生成器に結合され、かつ複数の一定の非ゼロの値のうち１つを有するオフセット電流を出力するように結合される補償回路とを備え、前記電源の前記入力電圧に対応する前記複数の一定の非ゼロの値の各々はそれぞれの入力しきい値に達し、前記複数の一定の非ゼロの値は、前記それぞれの入力しきい値が増大するにつれて減少する、電源。